(57)【要約】【課題】切替可能な２つの水路を内蔵しながら、全体を小型化すると共に、ホースとの接続を確保した水栓を提供する。【解決手段】水栓は、引き出し可能なスパウトを備える水栓であって、スパウトは、ホースを接続するホース接続部材と、吐水部に接続された少なくとも２つの水路と、ホースの主水路側から少なくとも２つの水路への分岐箇所に至る連通部とを内部に有すると共に、ホース接続部材と接続されている水路構成部材と、ホース接続部材及び水路構成部材を覆うカバーと、を備え、水路構成部材は、スパウトの長手方向において、吐水部と反対側のホース接続部材の側に前記連通部を有する。【選択図】図５
2019210661.tif 000002
【特許請求の範囲】
【請求項１】
引き出し可能なスパウトを備える水栓であって、
前記スパウトは、
ホースを接続するホース接続部材と、
吐水部に接続された少なくとも２つの水路と、前記ホースの主水路側から前記少なくとも２つの水路への分岐箇所に至る連通部とを内部に有すると共に、前記ホース接続部材と接続されている水路構成部材と、
前記ホース接続部材及び前記水路構成部材を覆うカバーと、
を備え、
前記水路構成部材は、前記スパウトの長手方向において、前記吐水部と反対側の前記ホース接続部材の側に前記連通部を有する、水栓。
【請求項２】
前記２つの水路は、前記スパウトの長手方向において、前記水路構成部材における前記吐水部から前記連通部までの長さが、前記スパウトの長さの２／３以上を占める、請求項１に記載の水栓。
【請求項３】
前記水路構成部材と前記ホース接続部材とを接続固定する固定部材を備える、請求項１又は２に記載の水栓。
【請求項４】
前記カバーは、ポリメチルメタアクリレート（ＰＭＭＡ）からなり、
前記固定部材により互いに接続固定された前記水路構成部材及び前記ホース接続部材は、前記カバーに対して当接位置決め部材と抜け止め部材とによりそれぞれ固定されている、請求項３に記載の水栓。
【請求項５】
前記連通部は、前記主水路から前記少なくとも２つの水路のいずれかに切り替える弁体を収容する、請求項１から４のいずれか一項に記載の水栓。
【請求項６】
前記スパウトに設けられたプッシュボタンと、
前記プッシュボタンと接続され、前記プッシュボタンの押し込みによる直線運動を回転運動に変換するカム機構と、
をさらに備え、
前記カム機構は、前記弁体と接続されており、前記プッシュボタンの押し込みによって、前記弁体により前記２つの水路を切り替える、請求項５に記載の水栓。
【請求項７】
前記カム機構は、前記プッシュボタンの押し込みによる直線運動を、押し込んだ方向に平行な軸を中心とする回転運動に変換する、請求項６に記載の水栓。
【発明の詳細な説明】
【技術分野】
【０００１】
本発明は、ホースに接続され、切替可能な複数の水路を内蔵するスパウトを備えた水栓に関する。
【背景技術】
【０００２】
従来、水栓の引き出し可能なスパウト（吐水装置）において、シャワー吐水とストレート吐水とへの分岐箇所及び切替機構を吐水口自体に設ける場合が知られている（例えば、特許文献１参照。）。この吐水装置では、吐水口に設けられた操作リングを回転させることによってシャワー吐水とストレート吐水とを切り替えている。
【先行技術文献】
【特許文献】
【０００３】
【特許文献１】国際特許出願公開２００５／０３１０７４号
【発明の概要】
【発明が解決しようとする課題】
【０００４】
しかし、上記吐水装置において、分岐箇所及び切替機構が吐水口から突出して設けられており、大型化しやすく、外観を損なう場合があるという問題があった。
【０００５】
一方、上記問題を解決するために主水路側から分岐箇所に至る連通部をスパウト（吐水装置）の根元側に設けることが考えられるが、この場合、吐水口から連通部までの水路構成部材では、水路構成部材に直接にホースを接続できないという問題がある。
【０００６】
本発明の目的は、切替可能な複数の水路を内蔵しながら、全体を小型化すると共に、ホースとの接続を確保したスパウトを備える水栓を提供することである。
【課題を解決するための手段】
【０００７】
本発明に係る水栓は、スパウトを備える水栓であって、
前記スパウトは、
ホースを接続するホース接続部材と、
吐水部に接続された少なくとも２つの水路と、前記ホースの主水路側から前記少なくとも２つの水路への分岐箇所に至る連通部とを内部に有すると共に、前記ホース接続部材と接続されている水路構成部材と、
前記ホース接続部材及び前記水路構成部材を覆うカバーと、
を備え、
前記水路構成部材は、前記スパウトの長手方向において、前記吐水部と反対側の前記ホース接続部材の側に前記連通部を有する。
【発明の効果】
【０００８】
本発明に係るスパウトを備えた水栓によれば、切替可能な複数の水路を内蔵しながら、全体を小型化すると共に、ホースとの接続を確保できる。
【図面の簡単な説明】
【０００９】
【図１】スパウトを備えた水栓の外観を示す概略斜視図である。
【図２】図１の水栓において、スパウトを引き出した状態を示す概略斜視図である。
【図３Ａ】実施の形態１に係る水栓におけるスパウトの各構成部材を示す分解斜視図である。
【図３Ｂ】水路構成部材とホース接続部材との接続を示す概略斜視図である。
【図３Ｃ】図３Ｂの水路構成部材とホース接続部材とを接続した状態を示す概略斜視図である。
【図４Ａ】図３Ａのスパウトの吐水部の面に平行な面で切断した断面構造を示す断面図である。
【図４Ｂ】図３Ａのスパウトの吐水部の面に垂直な面で切断した断面構造を示す断面図である。
【図５】カバーを外したスパウトの内部の構成を示すと共に、プッシュボタンを押し込んでいない状態（シャワー吐水）のカム機構、オルタネート機構、連通部について内部を透視した部分透視図である。
【図６】図５のカバーを外したスパウトのカム機構、オルタネート機構、連通部を含む下部を拡大した部分透視図である。
【図７】図５のスパウトの連通部を主水路側から見て、主水路からの分岐がシャワー吐水となっていることを示す概略図である。
【図８】カバーを外したスパウトの内部の構成を示すと共に、プッシュボタンを押し込んだ状態（ストレート吐水）のカム機構、オルタネート機構、連通部について内部を透視した部分透視図である。
【図９】図８のカバーを外したスパウトのカム機構、オルタネート機構、連通部を含む下部を拡大した部分透視図である。
【図１０】図８のスパウトの連通部を主水路側から見て、主水路からの分岐がストレート吐水となっていることを示す概略図である。
【図１１】カバーを外したスパウトの内部の構成を示すと共に、プッシュボタンを押し込んでいない状態から押し込んでいる途中の状態（シャワー吐水→ストレート吐水）のカム機構、オルタネート機構、連通部について内部を透視した部分透視図である。
【図１２】図１１のスパウトの連通部を主水路側から見て、主水路からの分岐がシャワー吐水とストレート吐水との中間にあることを示す概略図である。
【図１３Ａ】実施の形態２に係る水栓において、水路構成部材とホース接続部材とを部材との境界に沿って固定する固定部材の例を示す概略図である。
【図１３Ｂ】図１３Ａの固定部材をホース接続部材の側からみた概略斜視図である。
【図１３Ｃ】図１３Ａの固定部材によるホース接続部材との嵌合状態を示す概略断面図である。
【図１４】実施の形態３に係る水栓において、ｚ軸方向に沿って水路構成部材とホース接続部材とを固定する固定部材の例を示す概略図である。
【図１５】実施の形態４に係る水栓において、カバーに設けられた当接位置決め部材と抜け止め防止材とによって水路構成部材とホース接続部材とを固定する場合を示す概略斜視図である。
【図１６Ａ】実施の形態５に係る水栓において、水路構成部材とホース接続部材とを部材との境界に沿って固定する固定部材の例を示す概略図である。
【図１６Ｂ】図１６Ａの水栓を時計回りに９０度回転させた場合の固定部材の例を示す概略図である。
【図１６Ｃ】図１６Ｂの水栓を時計回りに４５度回転させた場合の固定部材の例を示す概略図である。
【図１６Ｄ】図１６Ｃの水栓を時計回りに４５度回転させた場合の固定部材の例を示す概略図である。
【図１７Ａ】図１６Ｂの水栓をｚ軸下方から見上げた場合の固定部材周辺を示す部分拡大図である。
【図１７Ｂ】図１７Ａの水栓を時計回りに１８０度回転させた場合のｚ軸下方から見上げた場合の固定部材周辺を示す部分拡大図である。
【発明を実施するための形態】
【００１０】
第１の態様に係る水栓は、引き出し可能なスパウトを備える水栓であって、
前記スパウトは、
ホースを接続するホース接続部材と、
吐水部に接続された少なくとも２つの水路と、前記ホースの主水路側から前記少なくとも２つの水路への分岐箇所に至る連通部とを内部に有すると共に、前記ホース接続部材と接続されている水路構成部材と、
前記ホース接続部材及び前記水路構成部材を覆うカバーと、
を備え、
前記水路構成部材は、前記スパウトの長手方向において、前記吐水部と反対側の前記ホース接続部材の側に前記連通部を有する。
【００１１】
第２の態様に係る水栓は、上記第１の態様において、前記２つの水路は、前記スパウトの長手方向において、前記水路構成部材における前記吐水部から前記連通部までの長さが、前記スパウトの長さの２／３以上を占めてもよい。
【００１２】
第３の態様に係る水栓は、上記第１又は第２の態様において、前記水路構成部材と前記ホース接続部材とを接続固定する固定部材を備えてもよい。
【００１３】
第４の態様に係る水栓は、上記第３の態様において、前記カバーは、ポリメチルメタアクリレート（ＰＭＭＡ）からなり、
前記固定部材により互いに接続固定された前記水路構成部材及び前記ホース接続部材は、前記カバーに対して当接位置決め部材と抜け止め部材とによりそれぞれ固定されていてもよい。
【００１４】
第５の態様に係る水栓は、上記第１から第４のいずれかの態様において、前記連通部は、前記主水路から前記少なくとも２つの水路のいずれかに切り替える弁体を収容してもよい。
【００１５】
第６の態様に係る水栓は、上記第５の態様において、前記スパウトに設けられたプッシュボタンと、
前記プッシュボタンと接続され、前記プッシュボタンの押し込みによる直線運動を回転運動に変換するカム機構と、
をさらに備え、
前記カム機構は、前記弁体と接続されており、前記プッシュボタンの押し込みによって、前記弁体により前記２つの水路を切り替えてもよい。
【００１６】
上記構成によれば、プッシュボタンの押し込みによる直線運動を回転運動に変換できるので、そのスペースを抑制でき、スパウトの全体を小型化できる。
【００１７】
第７の態様に係る水栓は、上記第６の態様において、前記カム機構は、前記プッシュボタンの押し込みによる直線運動を、押し込んだ方向に平行な軸を中心とする回転運動に変換してもよい。
【００１８】
以下、実施の形態に係るスパウトについて、添付図面を参照しながら説明する。なお、図面において実質的に同一の部材については同一の符号を付している。
【００１９】
（実施の形態１）
図１は、スパウト３０を備えた水栓４０の外観を示す概略斜視図である。図２は、図１の水栓４０において、スパウト３０を引き出した状態を示す概略斜視図である。図３Ａは、実施の形態１に係るスパウト３０の各構成部材を示す分解斜視図である。図３Ｂは、水路構成部材３８とホース接続部材４との接続を示す概略斜視図である。図３Ｃは、図３Ｂの水路構成部材３８とホース接続部材４とを接続した状態を示す概略斜視図である。図４Ａは、図３Ａのスパウト３０の吐水部１０の面に平行な面で切断した断面構造を示す断面図である。図４Ｂは、図３Ａのスパウト３０の吐水部１０の面に垂直な面で切断した断面構造を示す断面図である。図３Ａ乃至図４Ｂ等には、便宜上、互いに直交するｘ軸、ｙ軸、ｚ軸を示している。なお、各軸は説明の都合上設けているものであって、スパウト３０の方向を特定するためのものではない。
【００２０】
実施の形態１に係る水栓４０は、引き出し可能なスパウト３０を備える。スパウト３０は、図１及び図２に示すように、水栓４０の本体３４の先端に設けられる。また、スパウト３０は、ホース３６を接続するホース接続部材４と、水路構成部材３８と、ホース接続部材４及び水路構成部材３８を覆うカバー１と、を備える。水路構成部材３８は、吐水部１０に接続された２つの水路Ａ、Ｂと、ホース３６の主水路Ｃ側から２つの水路Ａ、Ｂへの分岐箇所に至る連通部３とを有する。水路構成部材３８は、ホース接続部材４と接続されている。また、水路構成部材３８は、スパウト３０の長手方向において、吐水部１０と反対側のホース接続部材４の側に連通部３を有する。なお、この水栓４０は、例示であって図１及び図２に示す構成に限定されるものではない。
【００２１】
この水栓４０によれば、２つの水路Ａ、Ｂと、２つの水路Ａ、Ｂへの分岐箇所に至る連通部３とを有する水路構成部材３８とは別体にホース接続部材４を設けると共に、水路構成部材３８において、ホース接続部材４の側に連通部３を設けている。これによって、切替可能な複数の水路Ａ、Ｂを内蔵しながら、全体を小型化すると共に、ホース３６との接続を確保できる。
【００２２】
以下に、この水栓４０を構成する各構成部材について説明する。
【００２３】
＜ハンドル（レバー）＞
図１及び図２に示すように、水栓４０の本体３４の上部にハンドル３２が設けられている。このハンドル３２によって、水と湯との混合比率の調節と、水と湯との混合水の水量の調節と、を行う。例えば、ハンドル（レバー）３２を回転又は上下させることで、水等、例えば、水と湯との混合水をスパウト３０の吐水部１０から吐出させることができる。
【００２４】
＜本体＞
本体３４は、水栓４０を設置する台に固定され、全体を支持する。本体３４は、金属製又は樹脂製のいずれであってもよい。
【００２５】
＜ホース＞
ホース３６は、本体３４の内部に挿通され、スパウト３０に接続されている。また、ホース３６は、水と湯との混合水を通すことができ、可撓性を有するものであればよく、樹脂製又は金属製のいずれであってもよい。
【００２６】
＜スパウト＞
スパウト３０は、ホース３６を接続するホース接続部材４と、水路構成部材３８と、ホース接続部材４及び水路構成部材３８を覆うカバー１と、を備える。スパウト３０は、図２に示すように、ホース３６と接続され、接続されたホース３６と共に本体３４から引き出すことができる。
【００２７】
＜ホース接続部材＞
ホース接続部材４によって、ホース３６を水路構成部材３８の連通部３と接続する。ホース３６は一定の外径を有するので、ホース接続部材４は、ホースの外径に対応する一定の内径を有する箇所を備える。当該内径箇所においてホースは抜け止めされている。ホース接続部材４は、一定の外径を有し、水路構成部材３８よりも太い。また、ホース接続部材４は、スパウト３０の中で根元側に配置する。これによって先端側の細さをより引き立たせることができる。
【００２８】
＜カバー＞
カバー１によって、ホース接続部材４及び水路構成部材３８を覆う。カバー１は、樹脂製又は金属製のいずれであってもよい。例えば、防汚性に優れたポリメチルメタアクリレート（ＰＭＭＡ）によって構成してもよい。
【００２９】
＜水路構成部材＞
水路構成部材３８は、吐水部１０に接続された２つの水路Ａ、Ｂと、ホース３６の主水路Ｃ側から２つの水路Ａ、Ｂへの分岐箇所に至る連通部３とを有する。水路構成部材３８の吐水部１０から連通部３までの水路の長さＬ１は、ホース接続部材の長さＬ２より長い。また、水路構成部材３８において、図３Ｂに示すように、２つの水路Ａ、Ｂは、スパウト３０の長手方向において、水路構成部材３８における吐水部１０から連通部３までの長さＬ１が、スパウト３０の長さの２／３以上を占めてもよい。これによって、スパウト３０において、先端が細いすっきりとしたデザインを実現できる。水路構成部材３８は、一体形成が望ましく、このとき連通部３は、後述する弁玉、弁玉押さえ等の可動部を収めるため、ホース接続部材４の少なくとも一部（具体的にはホース３６が抜け止めされている部分）より大径になる。従って型抜きの問題上、水路構成部材３８とホース接続部材４とを一体で構成することができない。本発明に係る水栓では、連通部３を根本に持ってくるすっきりデザインを実現するために水路構成部材３８とホース接続部材４とを別体で形成していることを特徴としている。なお、この水路構成部材３８は、一体成型された１パーツであることが好ましい。この場合、水路構成部材３８には、主水路Ｃ側から分岐箇所に至る連通部３を含むが、弁玉及び弁玉押さえ等の可動部は含まない。
【００３０】
＜吐水部＞
吐水部１０は、スパウト３０の側面に設けられている。この例では、図３に示すように、ｙ軸負方向に向けられている。また、吐水部１０には、図５、図８、図１１に示すように、中央にストレート吐水用孔１０ａが設けられ、周囲にシャワー吐水用孔１０ｂが設けられている。シャワー吐水用孔１０ｂは、シャワー吐水Ａと接続されており、ストレート吐水用孔１０ａは、ストレート吐水Ｂと接続されている。なお、水漏れ等を防止するため、吐水部パッキン１１、Ｏリング１８等が設けられている。
【００３１】
＜２つの水路＞
２つの水路Ａ、Ｂは、図４Ａ及び図４Ｂに示すように、スパウト３０の内部に設けられ、下部の主水路Ｃから分岐するシャワー吐水（第１の水路）Ａとストレート吐水（第２の水路）Ｂである。シャワー吐水Ａの長手方向（ｚ軸方向）とストレート吐水Ｂの長手方向（ｚ軸方向）とは、互いに平行に配置することが好ましい。また、図４Ｂに示すように、シャワー吐水Ａとストレート吐水Ｂとは、ｙ軸方向に沿って配置されている。なお、水漏れ等を防止するため、パッキン９が設けられている。
【００３２】
＜連通部＞
連通部３において、図７、図１０、図１２に示すように、ホース３６からの主水路Ｃから分岐するシャワー吐水（第１の水路）Ａとストレート吐水（第２の水路）Ｂとの２つの水路Ａ、Ｂを切り替える可動部を収容している。可動部は、回転軸５と、弁玉１２と、弁玉押さえ２６と、を含む。具体的には、連通部３では、回転軸５の回りに回転する弁玉押さえ２６によって弁玉１２が支持されている。この弁玉１２がシャワー吐水Ａ又はストレート吐水Ｂへの開口の一方を塞ぐことによって、他方のストレート吐水Ｂ又はシャワー吐水Ａが選択される。
【００３３】
＜切替機構について＞
さらに、このスパウト３０では、連通部３で２つの水路Ａ、Ｂを切り替えるための切替機構として、例えば、プッシュボタン２、カム機構２７、オルタネート機構２８を備える。カム機構２７は、プッシュボタン２と直接又は間接に接続されていると共に、弁体（弁玉）１２と接続されている。カム機構２７によって、プッシュボタン２の押し込みに対応して、弁体（弁玉）１２によってシャワー吐水Ａとストレート吐水Ｂとを切り替える。また、オルタネート機構２８によって、プッシュボタン２と直接又は間接に接続され、プッシュボタン２を押し込んだ場合にその状態を保持する。オルタネート機構２８とカム機構２７とは、例えば、図５に示すように、それぞれの長手方向（ｚ軸方向）を平行にして配置されている。
これによって、オルタネート機構２８とカム機構２７とを分けて、それぞれの長手方向（ｚ軸方向）を平行にして配置されている。これによって、スパウト３０全体を小型化できる。
【００３４】
また、図４Ａ及び図４Ｂに示すように、オルタネート機構２８とカム機構２７とは、シャワー吐水Ａ及びストレート吐水Ｂを挟んで配置されていてもよい。なお、この場合、オルタネート機構２８及びカム機構２７の長手方向（ｚ軸方向）と、シャワー吐水Ａ及びストレート吐水Ｂの長手方向（ｚ軸方向）とは互いに実質的に平行に配置することが好ましい。これによって、スパウト３０内にそれぞれをバランスよく配置できる。
また、シャワー吐水Ａとストレート吐水Ｂとが配置される方向（ｙ軸方向）と、オルタネート機構２８とカム機構２７とが配置される方向（ｘ軸方向）とは、互いに同方向の場合、それぞれの方向が互いに交差する場合、それぞれの方向が互いに直交する場合、のいずれであってもよい。オルタネート機構２８とカム機構２７とは、スパウト３０の内部の断面構成に応じて適宜配置すればよい。
【００３５】
＜リンク＞
リンク７は、プッシュボタン２と接続されている。プッシュボタン２を押し込むと、リンク７は下方（ｚ軸負方向）に下がる。このリンク７は、二股の枝部として延在するロッド状の第１リンク７ａ及び第２リンク７ｂを備える。第１リンク７ａは、オルタネート機構２８と接続されている。また、第２リンク７ｂは、カム機構２７と接続されている。プッシュボタン２を押し込んでリンク７が下方（ｚ軸負方向）に下がると、第１リンク７ａ及び第２リンク７ｂも下方（ｚ軸負方向）に下がる。これに伴って、第１リンク７ａに接続されたオルタネート機構２８と、第２リンク７ｂに接続されたカム機構とは、それぞれ下方（ｚ軸負方向）に下がる。なお、リンク７は、オルタネート機構２８とカム機構２７とに共通する部分を必須とするものではない。例えば、オルタネート機構２８と接続された第１リンク７ａと、カム機構２７と接続された第２リンク７ｂとが別々に設けられ、それぞれプッシュボタン２と直接に接続されていてもよい。また、図３及び図４Ｂに示すように、リンク押さえ８によって、第１リンク７ａ及び第２リンク７ｂの長手方向以外の動きを抑制してもよい。
【００３６】
＜オルタネート機構＞
オルタネート機構２８は、プッシュボタン２と直接又は間接に接続され、プッシュボタン２を押し込んだ場合にその状態を保持する。つまり、オルタネート機構２８によって、プッシュボタン２を押し込んだ状態と、プッシュボタン２を押し込まない状態と、の２つの状態を選択できる。また、オルタネート機構２８によって、それぞれの状態を切り替えることができる。プッシュボタン２を押し込まない状態が、図４Ｂ及び図６に示すシャワー吐水Ａの選択の場合であり、プッシュボタン２を押し込んだ状態が、図９に示すストレート吐水Ｂの選択の場合である。このオルタネート機構２８は、割ピン１６で第１リンク７ａに接続されており、オルタネート機構ホルダ２０、羽根部材２１、ロッド２２、ノック部材２３、ノック部材押しバネ２４を含む。また、オルタネート機構２８は、プッシュボタン２を複数回押し込んだ場合に保持された状態を解除するように構成してもよい。また、この場合、プッシュボタン２を奇数回押し込んだ場合にプッシュボタン２を押し込んだ状態を保持するようにしてもよい。なお、押し込んだ状態を解除するために、上記ノック部材押しバネ２４及びリンク押しバネ２５が設けられている。
【００３７】
＜カム機構＞
カム機構２７は、プッシュボタン２と直接又は間接に接続されていると共に、弁体（弁玉）１２と接続されており、プッシュボタン２の押し込みに対応して、弁体（弁玉）１２によってシャワー吐水Ａとストレート吐水Ｂとを切り替える。このカム機構２７は、例えば、図５，図６、図８及び図９に示すように、プッシュボタン２の押し込みによる直線運動を、押し込んだ方向（ｚ軸負方向）に平行な軸（ｚ軸）を中心とする回転運動に変換するように構成してもよい。なお、回転運動の回転軸は、押し込んだ方向に平行な軸であればよく、押し込みによる直線運動と同軸である場合に限られない。例えば、カバー１の中心軸を回転軸としてもよい。
【００３８】
図５，図６、図８及び図９に示すカム機構２７では、第２リンク７ｂと接続されており、突起６ａを有するカム６と、軸に対して斜めの切れ込み２９ａを設けたカム受２９とによって構成されている。軸方向にカム受２９が下方（ｚ軸負方向）に下がると、カム６の突起６ａがカム受け２９に設けられた切れ込み２９ａに沿って軸（ｚ軸）に対して斜めにスライドして移動し、カム６が回転軸（ｚ軸）５に沿って回転する。これによってプッシュボタン２の押し込みによる軸方向の直線運動を軸（ｚ軸）を中心とする回転運動に変換できる。なお、カム機構の斜めの切れ込み２９ａの方向は、図５等に示すｚ軸方向に沿って左らせん方向に設けられる場合に限られない。例えば、ｚ軸方向に沿って右らせん方向に設けられてもよい。
【００３９】
＜弁体（弁玉）、弁玉押さえ、回転軸（振り子）＞
回転軸５は、カム６と接続されており、カム６の回転によって回転軸５も回転する。また、回転軸５は、連通部３内の弁玉押さえ２６と接続されている。弁玉押さえ２６は、弁玉押しバネ１４、弁玉受１３及び弁玉１２を支持している。弁玉１２は、ボール弁とも呼ばれる。弁玉１２は、弁玉押しバネ１４によって上向き（ｚ軸正方向）に付勢されている。回転軸５の回転によって、連通部３内で弁玉押さえ２６が回転し、支持している弁玉１２がシャワー吐水Ａの開口又はストレート吐水Ｂの開口の一方を塞ぐことによって、他方の開口しているストレート吐水Ｂ又はシャワー吐水Ａが選択される。弁玉１２がシャワー吐水Ａの開口とストレート吐水Ｂの開口との間を移動する際には上下に変動するが、弁玉１２は、上向きに付勢されているので安定して２つの開口の間を移動する。回転軸５が回転しない初期位置では、弁玉１２は、ストレート吐水Ｂへの開口を塞いでいる。なお、水漏れ等を防止するため、リング１５、Ｏリング１７等が回転軸５に設けられている。また、連通部３とホース接続部材４との間にはＯリング１９が設けられている。
【００４０】
以下に、このスパウト３０におけるシャワー吐水の状態、ストレート吐水の状態、及び、これらの中間の状態について説明する。
【００４１】
＜シャワー吐水＞
図５は、カバー１を外したスパウト３０の内部の構成を示すと共に、プッシュボタン２を押し込んでいない状態（シャワー吐水）のカム機構２７、オルタネート機構２８、連通部３について内部を透視した部分透視図である。図６は、図５のカバー１を外したスパウト３０のカム機構２７、オルタネート機構２８、連通部３を含む下部を拡大した部分透視図である。図７は、図５のスパウト３０の連通部３を主水路Ｃ側から見て、主水路Ｃからの分岐がシャワー吐水Ａとなっていることを示す概略図である。
プッシュボタン２を押し込んでいない状態では、カム６の突起６ａはカム受２９の切れ込み２９ａをスライドしておらず、回転軸５も回転していない。この場合には、弁玉押さえ２６は初期位置にあり、弁玉１２は、ストレート吐水Ｂの開口を塞いでいる。そこで、シャワー吐水Ａの開口が選択されたものとなる。
【００４２】
＜ストレート吐水＞
図８は、カバー１を外したスパウト３０の内部の構成を示すと共に、プッシュボタン２を押し込んだ状態（ストレート吐水Ｂ）のカム機構２７、オルタネート機構２８、連通部３について内部を透視した部分透視図である。図９は、図８のカバー１を外したスパウト３０のカム機構２７、オルタネート機構２８、連通部３を含む下部を拡大した部分透視図である。図１０は、図８のスパウト３０の連通部３を主水路側から見て、主水路からの分岐がストレート吐水Ｂとなっていることを示す概略図である。
プッシュボタン２を押し込んだ状態（ストレート吐水Ｂ）では、カム６の突起６ａはカム受２９の切れ込み２９ａをスライドして移動し、回転軸５も回転している。この場合には、弁玉押さえ２６も回転し、弁玉１２はシャワー吐水Ａの開口を塞いでいる。そこで、ストレート吐水Ｂが選択されたものとなる。
【００４３】
＜シャワー吐水とストレート吐水との中間状態＞
図１１は、カバー１を外したスパウト３０の内部の構成を示すと共に、プッシュボタン２を押し込んでいない状態から押し込んでいる途中の状態（シャワー吐水→ストレート吐水）のカム機構２７、オルタネート機構２８、連通部３について内部を透視した部分透視図である。図１２は、図１１のスパウト３０の連通部３を主水路Ｃ側から見て、主水路Ｃからの分岐がシャワー吐水Ａとストレート吐水Ｂとの中間にあることを示す概略図である。
【００４４】
プッシュボタン２を少し押し込んだ状態（シャワー吐水Ａとストレート吐水Ｂとの中間状態）では、カム６の突起６ａはカム受２９の切れ込み２９ａを少しスライドして移動し、回転軸５も少し回転している。この場合には、弁玉押さえ２６も少し回転し、弁玉１２はシャワー吐水Ａの開口とストレート吐水Ｂの開口との間にある。そこで、シャワー吐水Ａとストレート吐水Ｂとの両方が同時に選択されたものとなる。
なお、このプッシュボタン２を少し押し込んだ状態は、オルタネート機構２８で保持される状態ではないので、プッシュボタン２から手を離した場合には元のプッシュボタン２を押し込まない状態に戻る。
【００４５】
（実施の形態２）
図１３Ａは、実施の形態２に係る水栓において、水路構成部材３８とホース接続部材４とを部材との境界に沿って固定する固定部材４２の例を示す概略図である。図１３Ｂは、図１３Ａの固定部材４２をホース接続部材４の側からみた概略斜視図である。図１３Ｃは、図１３Ａの固定部材４２によるホース接続部材４との嵌合状態を示す概略断面図である。
図１３Ａ乃至図１３Ｃに示すように、固定部材４２によって水路構成部材３８とホース接続部材４とを部材との境界に沿って固定することができる。これによって、スパウト３０内で水路構成部材３８とホース接続部材とを安定させることができる。
【００４６】
（実施の形態３）
図１４は、実施の形態３に係る水栓において、ｚ軸方向に沿って水路構成部材３８とホース接続部材４とを固定する固定部材４２ａ、４２ｂの例を示す概略図である。
図１４に示すように、固定部材４２ａ、４２ｂ及びタッピング４４ａ、４４ｂによってｚ軸方向に沿って水路構成部材３８とホース接続部材４とを固定することができる。これによって、スパウト３０内で水路構成部材３８とホース接続部材とを安定させることができる。
【００４７】
（実施の形態４）
図１５は、実施の形態４に係る水栓において、カバー１に設けられた当接位置決め部材４６と抜け止め防止材４８とによって水路構成部材３８とホース接続部材４とを固定する場合を示す概略斜視図である。
図１５の点線の囲みに示すように、カバー１に設けられた当接位置決め部材４６と水路構成部材３８とを当接させて固定することができる。また、カバー１に設けた孔とホース接続部材４に設けた孔とを位置合わせしておくことにより、抜け止め防止材４８をカバー１の孔及びホース接続部材の孔に挿入して、カバー１とホース接続部材４とを固定できる。これによって、当接位置決め部材４６と抜け止め防止材４８とによって、カバー１を介して水路構成部材３８とホース接続部材４とを固定することができる。これによって、スパウト３０を、例えば、ＰＭＭＡ等のネジ止めできない部材で構成した場合でも、水路構成部材３８とホース接続部材とを安定させることができる。
【００４８】
（実施の形態５）
図１６Ａ乃至図１６Ｄは、実施の形態５に係る水栓において、水路構成部材３８とホース接続部材４とを部材との境界に沿って固定する固定部材４２ｃの例を示す概略図である。図１７Ａ及び図１７Ｂは、上記固定部材４２ｃの拡大図である。
この固定部材４２ｃは、図１７Ａ及び図１７Ｂに示すように、水路構成部材３８とホース接続部材４との周囲から周方向に押さえて固定する。この場合に、図１６Ａ乃至図１６Ｄに示すように、例えば、水路構成部材３８とホース接続部材４との境界に固定部材４２ｃの幅と略同じ幅の段差部分が設けられていてもよい。これによって、固定部材４２ｃは、その段差部分に保持されて固定できる。また、固定部材４２ｃによって、挟み込み部４１に水路構成部材３８とホース接続部材４とを挟んで固定することができる。固定部材４２ｃは、水路構成部材３８とホース接続部材４との周囲を周方向に回した後、開口部４３に突起部４５を通して固定するため、弾性材料からなることが好ましい。
【００４９】
なお、本開示においては、前述した様々な実施の形態及び／又は実施例のうちの任意の実施の形態及び／又は実施例を適宜組み合わせることを含むものであり、それぞれの実施の形態及び／又は実施例が有する効果を奏することができる。
【産業上の利用可能性】
【００５０】
本発明に係るスパウトを備えた水栓によれば、切替可能な複数の水路Ａ、Ｂを内蔵しながら、全体を小型化すると共に、ホース３６との接続を確保できる。これによって、スパウト全体を小型化できるので、小型化した水栓として有用である。
【符号の説明】
【００５１】
Ａ  シャワー吐水（第１の水路）
Ｂ  ストレート吐水（第２の水路）
Ｃ  主水路
１  カバー
２  プッシュボタン
３  連通部
４  ホース接続部材
５  回転軸（振り子）
６  カム
６ａ  突起
７  リンク
７ａ  第１リンク
７ｂ  第２リンク
８  リンク押さえ
９  パッキン
１０  吐水部
１０ａ  ストレート吐水用孔
１０ｂ  シャワー吐水用孔
１１  吐水部パッキン
１２  弁玉（弁体）
１３  弁玉受
１４  弁玉押しバネ
１５  リング
１６  割ピン
１７  Ｏリング
１８  Ｏリング
１９  Ｏリング
２０  オルタネート機構ホルダ
２１  羽根部材
２２  ロッド
２３  ノック部材
２４  ノック部材押しバネ
２５  リンク押しバネ
２６  弁玉押さえ
２７  カム機構
２８  オルタネート機構
２９  カム受
２９ａ  切れ込み
３０  スパウト
３２  ハンドル
３４  本体
３６  ホース
３８  水路構成部材
４０  水栓
４１  挟み込み部
４２、４２ａ、４２ｂ、４２ｃ  固定部材
４３  開口部
４４ａ、４４ｂ  タッピング
４５  突起部
４６  当接位置決め部材
４８  抜け止め防止材
【図１】
2019210661.tif 000003
【図２】
2019210661.tif 000004
【図３Ａ】
2019210661.tif 000005
【図３Ｂ】
2019210661.tif 000006
【図３Ｃ】
2019210661.tif 000007
【図４Ａ】
2019210661.tif 000008
【図４Ｂ】
2019210661.tif 000009
【図５】
2019210661.tif 000010
【図６】
2019210661.tif 000011
【図７】
2019210661.tif 000012
【図８】
2019210661.tif 000013
【図９】
2019210661.tif 000014
【図１０】
2019210661.tif 000015
【図１１】
2019210661.tif 000016
【図１２】
2019210661.tif 000017
【図１３Ａ】
2019210661.tif 000018
【図１３Ｂ】
2019210661.tif 000019
【図１３Ｃ】
2019210661.tif 000020
【図１４】
2019210661.tif 000021
【図１５】
2019210661.tif 000022
【図１６Ａ】
2019210661.tif 000023
【図１６Ｂ】
2019210661.tif 000024
【図１６Ｃ】
2019210661.tif 000025
【図１６Ｄ】
2019210661.tif 000026
【図１７Ａ】
2019210661.tif 000027
【図１７Ｂ】
2019210661.tif 000028